(57)【要約】【課題】再構成可能ＭＰＵを用いて、紙幣、有価証券、公文書あるいは私文書の複写を禁じている原稿の判別を容易にし、かつ、原稿の情報や判別手段の変更を容易にする。【解決手段】紙幣、有価証券、公文書あるいは私文書の原稿情報や判別手段を記録した書き換え可能ＲＯＭと判別に適した演算器を持つ再構成可能ＭＰＵを用いる。【選択図】        図１
2004336345.tif 000002
【特許請求の範囲】
【請求項１】
画像情報を処理する画像処理装置において、
内部構成を再構成可能な再構成可能ＭＰＵとＲＯＭ書き換え機能部を具備し、
前記再構成可能ＭＰＵは、
データおよびソフトウエアを保持した書き換え可能なＲＯＭと、任意に使用可能なＲＡＭと、論理演算ユニットと、入力したデータが特別な処理を要する特殊原稿であるかを判別するのに適した少なくとも１つの処理部と、特殊原稿情報を格納した書き換え可能なＲＯＭと、
前記処理部が使用するワークメモリとを具備し、
前記処理部は、前記特殊原稿情報に基づき入力データが特別な処理を要する特殊原稿であるかを判定する手段を具備し、
前記ＲＯＭ書き換え機能部は、前記データおよびソフトウエアを保持した書き換え可能なＲＯＭと前記特殊原稿情報を格納した書き換え可能なＲＯＭの内容を変更する手段を具備することを特徴とする画像処理装置。
【請求項２】
前記再構成可能ＭＰＵは、複数の特殊原稿判別処理部を具備し、前記複数の特殊原稿判別処理部を並行して使用することを特徴とする請求項１に記載の画像処理装置。
【請求項３】
前記特殊原稿の情報を格納した書き換え可能なＲＯＭは暗号化した特殊原稿情報を格納し、
前記再構成可能ＭＰＵは前記暗号化した特殊原稿情報を復号化する復号器を具備し、
前記暗号化した特殊原稿情報を前記復号器で復号してから前記特殊原稿判別処理部に入力する手段を具備することを特徴とする請求項１および請求項２記載の画像処理装置。
【請求項４】
前記ＲＯＭ書き換え機能部は、暗号化したデータ、プログラムおよび特殊原稿情報を復号化する復号器を具備し、
前記暗号化したデータ、プログラムおよび特殊原稿情報を前記復号器で復号した内容で、前記データおよびソフトウエアを保持した書き換え可能なＲＯＭと前記特殊原稿情報を格納した書き換え可能なＲＯＭの内容を変更する手段を具備することを特徴とする請求項１および請求項２記載の画像処理装置。
【発明の詳細な説明】
【０００１】
【発明の属する技術分野】
本発明はデジタル画像処理機器に搭載する特殊原稿判別装置に関する。
【０００２】
【従来の技術】
カラー画像読取装置、画像処理装置、およびカラー画像出力装置の性能向上に伴い、カラー複写機等が出力する印刷物と原本の区別が一見して難しいほどになってきている。カラー複写機を始めとする、高精度のカラー画像処理・出力装置を、紙幣、有価証券、公文書あるいは私文書の複写を禁じている原稿（以下、特殊原稿）の偽造に悪用する犯罪が発生している。
【０００３】
上記の問題に対応するため、特殊原稿を判別し、特殊原稿の場合は特別な処理、例えば黒く塗りつぶす処理、を行う必要がある。
【０００４】
特殊原稿判別装置に関しては、従来より多くの従来例が存在する。特殊原稿の判別手法として、パターンマッチング法、あるいはヒストグラム法を用いる従来例が多い。そして、判別手法の実現方法としては、専用の論理回路（ハードウエア）で処理する方法と、あるいは汎用のＣＰＵ／ＭＰＵ（以下ＣＰＵ）を用いてソフトウエアで処理する方法がある。
【０００５】
パターンマッチング法をハードウエアで実現する手法は、特開２００１−１５５１５６号に実施例が示してある。また、パターンマッチング法を汎用のＣＰＵで実現する手法は、特開平６−２２３８号に実施例が示してある。ヒストグラム法を用いる従来例は、特開２００１−２１８０４９号や特開２００１−２２３８９０号に実施例が示してある。
【０００６】
このように、多くの特殊原稿判別手法が提案されているのは、カラー複写機を始めとするカラー画像処理・出力装置の悪用が絶えず、それに対抗して新しい手法を開発、あるいは既存の手法を改良する必要が生じているからである。
【０００７】
しかし、特殊原稿の判別を全てハードウエアで実施していると、特殊原稿判別手法の改良・変更は容易ではない。例えば、特殊原稿判別装置では紙幣と判別されないが、人間の目には真札と区別ができない偽造紙幣が出現した場合、特殊原稿判別手法を改良・変更する必要がある。この場合、特殊原稿判別装置ごと取り替えなければならない。
【０００８】
一方、特開平６−２２３８号に示すように汎用ＣＰＵを用いて、特殊原稿の判別をソフトウエアで実施すれば、特殊原稿判別手法の改良・変更は容易である。しかし、汎用ＣＰＵで、特殊原稿の判別を実行すると、全てをハードウエアで実施した場合より長い処理時間が必要になる。これは、汎用ＣＰＵが持つ演算器が四則演算器あるいは積和演算器であるため、複数の演算命令を組み合わせて、特殊原稿の判別を実行しなければならないからである。さらに、汎用ＣＰＵを用いる場合、データ依存関係あるいは演算器競合が発生する可能性がある。このデータ依存関係や演算器競合を回避するための時間も必要である。
【０００９】
また、特殊原稿の判別に使用する特殊原稿の情報を特殊原稿判別装置内に作り込んでおくと、特殊原稿情報の更新ができない。例えば、新札が発行された場合、特殊原稿判別装置ごと取り替えなければならない。
【００１０】
一方、例えば、特開平６―２２３８号に示す従来例のように、脱着可能なＲＯＭに特殊原稿情報を格納すれば、特殊原稿情報の更新は容易である。しかし、脱着可能なＲＯＭを用いた場合、犯罪者がＲＯＭ内の情報を読み出すことも困難ではない。その結果、犯罪者が特殊原稿情報ＲＯＭの内容を変造することが可能になる。この変造ＲＯＭを用いれば特殊原稿判別装置の機能を停止させ、特殊原稿の複写が可能になる。
【００１１】
【発明が解決しようとする課題】
本発明が解決しようとする第一の課題は、特殊原稿判別手法の改良・変更を容易にし、かつ従来と同等の処理能力を持つことである。
【００１２】
そして、第二の課題は、特殊原稿の判別に使用する特殊原稿情報の変更を容易にする手段を提供することである。
【００１３】
さらに、第三の課題は、特殊原稿情報の不正な流出と、特殊原稿情報の不正な書き換えを防止する手段を提供することである。
【００１４】
【課題を解決するための手段】
本発明に係わる、画像処理方法および装置は、内部構成を再構成可能な再構成可能ＭＰＵとＲＯＭ書き換え機能部を具備し、前記再構成可能ＭＰＵは、データおよびソフトウエアを保持した書き換え可能なＲＯＭと、任意に使用可能なＲＡＭと、論理演算ユニットと、入力したデータが特別な処理を要する特殊原稿であるかを判別するのに適した少なくとも１つの処理部と、特殊原稿情報を格納した書き換え可能なＲＯＭと、前記処理部が使用するワークメモリとを具備し、前記処理部は、前記特殊原稿情報に基づき入力データが特別な処理を要する特殊原稿であるかを判定する手段を具備し、前記ＲＯＭ書き換え機能部は、前記データおよびソフトウエアを保持した書き換え可能なＲＯＭと前記特殊原稿情報を格納した書き換え可能なＲＯＭの内容を変更する手段を具備することを特徴とする。
【００１５】
【発明の実施の形態】
以下、本発明の実施例を図を用いて説明する。
【００１６】
図１は特殊原稿判別手法としてパターンマッチング法を採用した処理部を持った再構成可能ＭＰＵの実施例１を示している。この再構成可能ＭＰＵ１は、インターフェース１０１、ＡＬＵ１０２、汎用レジスタ群１０３、コントローラ１０４、書き換え可能なＲＯＭ−Ａ１０５、ＲＡＭ１０６、パターン比較器１１１、書き換え可能ＲＯＭ−Ｂ１１４、ワークメモリ１１３と、内部バス１２１〜１２３、メモリコントローラ２０１を有している。
【００１７】
インターフェース１０１は、外部バス５０１を経由して、画像データの取り込みやその他のデータの入出力を行う。ＡＬＵ１０２は、四則演算と論理演算を行う論理演算ユニットである。汎用レジスタ群１０３は汎用に使用可能なレジスタの集まりである。
【００１８】
書き換え可能なＲＯＭ−Ａ１０５は、再構成可能ＭＰＵ１が使用するプログラムやデータを格納している。書き換え可能なＲＯＭ−Ａ１０５内のプログラムに従い再構成可能ＭＰＵ１は動作する。ＲＡＭ１０６は再構成可能ＭＰＵ１が使用する作業領域である。
【００１９】
パターン比較器１１１は、インターフェース１０１を経由して取り込んだ画像データが、特殊原稿であるかをパターンマッチング法を用いて判別する。書き換え可能ＲＯＭ−Ｂ１１４は、特殊原稿の情報を格納している。パターン比較器１１１はパターンマッチング手法に基づいて、入力した画像データと書き換え可能ＲＯＭ−Ｂ１１４内の特殊原稿情報の比較を行い類似度を求める。ワークメモリ１１３はパターン比較器１１１が使用する作業領域である。
【００２０】
内部バス１２１は状態や制御情報を伝達し、内部バス１２２はデータを伝達する。内部バス１２３は、書き換え可能ＲＯＭ−Ｂ１１４内の特殊原稿情報をパターン演算器１１１に伝達する。
【００２１】
メモリコントローラ２０１は、書き換え可能なＲＯＭ−Ａ１０５、ＲＡＭ１０６、書き換え可能ＲＯＭ−Ｂ１１４の読み出しあるいは書き込み動作を制御する。
【００２２】
従来例と違い特殊原稿情報を格納したＲＯＭは再構成可能ＭＰＵ１内に存在し、ＲＯＭを取り外すことはできない。よって、特殊原稿情報の流出を阻止可能である。また、特殊原稿判定を行うプログラムやデータを納めたＲＯＭも再構成可能ＭＰＵ１内に存在するため、特殊原稿判定を行うプログラムやデータの流出も阻止可能である。
【００２３】
以上の構成において、特殊原稿の判別動作を説明する。書き換え可能ＲＯＭ−Ａ１０５内のプログラムに基づいて、再構成可能なＭＰＵ１は以下の動作を行う。
【００２４】
１  画像データを外部バス５０１からインターフェース１０１を経由して取り込む
２  取り込んだ画像データをパターン比較器１１１に送る
３  ２と同時に、書き換え可能ＲＯＭ−Ｂ１１４内の特殊原稿情報を読み出し、パターン比較器１１１に送る
４  パターン比較器で、画像データと特殊原稿情報のパターンマッチングを行い、類似度を求める
このとき、必要に応じてＡＬＵ１０２、汎用レジスタ群１０３、ＲＡＭ１０６とワークメモリ１１３を使用する
５  類似度が予めプログラムで定めてある閾値を超えたならば、特殊原稿と判断する
６  特殊原稿と判断したならば、インターフェース１０１を経由して、外部バス５０１から特殊原稿であることを示す信号を出力する
次に、特殊原稿判別手法と特殊原稿情報の変更手段について図２を用いて説明する。図２はＲＯＭ書き換え機能部の一実施例を示している。但し、図２において、再構成可能ＭＰＵ１の内部は、書き換え可能ＲＯＭ−Ａ１０５と書き換え可能ＲＯＭ−Ｂ１１４のみ記述してある。この書き換え可能ＲＯＭ−Ａ１０５と書き換え可能ＲＯＭ−Ｂ１１４は電気的に一括消去可能とする。
【００２５】
ＲＯＭ書き換え機能部２１１は、書き込み制御信号生成部２１２、コントローラ２１３とバッファ２１４を有している。
【００２６】
書き込み制御部２１２は、書き換え可能ＲＯＭ−Ａ１０５と書き換え可能ＲＯＭ−Ｂ１１４の書き換え動作に使用する制御信号を生成する。コントローラ２１３は書き換え動作を制御する。バッファ２１４は、書き換えアドレスと書き換えデータを保持する。
【００２７】
書き換え要求信号２１５をＲＯＭ書き換え機能部２１１に入力すると、コントローラ２１３はＲＯＭ書き換え動作を行う。以下に書き換え可能ＲＯＭ−Ａ１０５の内容を書き換える場合を例に書き換え動作を説明する。
【００２８】
１  書き込み制御信号発生部２１２で消去信号を発生し、書き換え可能ＲＯＭ−Ａ１０５に書き込み制御信号バス２１８経由で送る
２  書き換え可能ＲＯＭ−Ａ１０５内の内容が消去したことを確認するまで待ち合わせ
３  書き込みアドレス２１６と書き込みデータ２１７はバッファ２１４で保持する
４  ２の動作が完了した後、書き込み制御信号発生部２１２で書き込み信号を生成し、バッファ内の書き込みアドレスと書き込みデータを用いて、書き換え可能ＲＯＭ−Ａ１０５の内容を書き換える
書き換え可能ＲＯＭ−Ｂ１１４の内容を書き換える場合も上記１〜４と同様の手順で行う。
【００２９】
以上の手順で、特殊原稿情報と特殊原稿判定を行うプログラムやデータを容易に変更できる。さらに、しかし、ＲＯＭ書き換え機能部２１１は、書き換え可能ＲＯＭ−Ａ１０５と書き換え可能ＲＯＭ−Ｂ１１４の内容を読み出す手段は備えていない。そのため、ＲＯＭ書き換え機能部２１１を経由して特殊原稿情報、特殊原稿判定を行うプログラムやデータの流出を阻止可能である。
【００３０】
次に図３に再構成可能ＭＰＵ１の実施例２を示す。図３に示す再構成可能ＭＰＵ１は、パターン比較器−Ａ１１１とパターン比較器−Ｂ１１２の二つのパターン比較器を有している。パターン比較器−Ａ１１１とパターン比較器−Ｂ１１２は、同じパターンマッチング法を用いたパターン比較器であっても、それぞれ異なるパターンマッチング法を用いたパターン比較器であってもよい。
【００３１】
パターン比較器−Ａ１１１とパターン比較器−Ｂ１１２が同じパターンマッチング法を用いたパターン比較器である場合は、画像データの異なる領域に対してパターンマッチングを行う。この場合、処理速度の向上を図ることが可能である。
【００３２】
パターン比較器−Ａ１１１とパターン比較器−Ｂ１１２が異なるパターンマッチング法を用いている場合、画像データの特性に応じて最適なパターンマッチング法を選択することが可能になり、特殊原稿の判別精度が向上する。
【００３３】
次に図４に再構成可能ＭＰＵ１の実施例３を示す。図４に示す再構成可能ＭＰＵ１は、パターンマッチング法とヒストグラム法を共に採用した再構成可能ＭＰＵ１の一実施例である。図４に示す再構成可能ＭＰＵ１は、パターン比較器１１１と頻度情報取得器１１５を有している。
【００３４】
パターン比較器１１１では、パターンマッチング法を用いて画像データと書き換え可能ＲＯＭ−Ｂ１１４内の特殊原稿情報の比較を行い類似度を求める。このとき、必要ならばパターン比較器１１１に接続したワークメモリ１１３を使用する。
【００３５】
頻度情報取得器１１５では画像データの濃度に対する画素数を示すヒストグラムを作成する。そして、このヒストグラムと書き換え可能ＲＯＭ−Ｂ１１４内の特殊原稿情報を比較することで類似度を求める。このとき、必要ならば頻度情報取得器１１５に接続したワークメモリ１１３を使用する。
【００３６】
画像データの特性に応じて、パターンマッチング法とヒストグラム法のいずれか、あるいは双方の結果を併用することで、特殊原稿判別精度の向上を図ることが可能になる。
【００３７】
次に図５に再構成可能ＭＰＵ１の実施例４を示す。図５に示す再構成可能ＭＰＵ１は、復号器２０２を有している。そして、書き換え可能ＲＯＭ−Ｂ１１４は暗号化した特殊原稿情報を格納している。特殊原稿情報を暗号化する手法は特に限定しない。例えばＰＧＰ法を用いて特殊原稿情報を暗号化する。但し、図５では暗号化した特殊原稿情報の処理に関わる部分以外を省略している。
【００３８】
特殊原稿判別時、書き換え可能ＲＯＭ−Ｂ１１４内の暗号化した特殊原稿情報は復号器２０２で復号してから、内部バス１２３に送る。特殊原稿情報を暗号化してあるため、特殊原稿情報が、何らかの理由で漏洩しても機密を保持することが可能である。
【００３９】
次に図６にＲＯＭ書き換え機能部の実施例２を示す。図６に示すＲＯＭ書き換え機能部２１１は復号器２０２を有している。そして、再構成可能ＭＰＵ１は復号器を有しておらず、書き換え可能ＲＯＭ−Ｂ１１４は直接内部バス１２３に接続している。但し、図６において、再構成可能ＭＰＵ１の内部は、書き換え可能ＲＯＭ−Ａ１０５と書き換え可能ＲＯＭ−Ｂ１１４に関わる部分のみ記述してある。
【００４０】
書き換え可能ＲＯＭ−Ａ１０５と書き換え可能ＲＯＭ−Ｂ１１４の内容を書き換える時、暗号化した書き換えデータを、ＲＯＭ書き換え機能部２１１内の復号器２０２で復号してから、書き換え可能ＲＯＭ−Ａ１０５あるいは書き換え可能ＲＯＭ−Ｂ１１４に書き込む。
【００４１】
本実施例では、特殊原稿情報のみならず、再構成可能ＭＰＵ１が使用するデータやプログラムも暗号化して取り扱うことができるため、高度に機密を保持することが可能である。
【００４２】
【発明の効果】
本発明は、上記に説明したような形態で実施し以下の効果がある。特殊原稿判別手法の改良・変更を容易にし、かつ従来と同等の処理能力を持つことが可能である。
【００４３】
また、特殊原稿の判別に使用する特殊原稿情報の変更を容易である。
【００４４】
そして、特殊原稿情報の不正な流出と、特殊原稿情報の不正な書き換えを防止することが可能である。
【図面の簡単な説明】
【図１】本発明の一実施例を示す図である。
【図２】本発明の実施例のうち、ＲＯＭ書き換え機能部の一実施例を示す図である。
【図３】本発明の実施例２を示す図である。
【図４】本発明の実施例３を示す図である。
【図５】本発明の実施例４を示す図である。
【図６】本発明の実施例のうち、ＲＯＭ書き換え機能部の実施例２を示す図である。
【符号の説明】
１  再構成可能ＭＰＵ
１０１  インターフェース
１０２  ＡＬＵ
１０３  汎用レジスタ群
１０４  コントローラ
１０５  書き換え可能ＲＯＭ−Ａ
１０６  ＲＡＭ
１２１〜１２３  内部バス
１１１〜１１２  パターン比較器
１１３  ワークメモリ
１１４  書き換え可能ＲＯＭ−Ｂ
１１５  頻度情報取得器
２０１  メモリコントローラ
２０２  復号器
２１１  ＲＯＭ書き換え機能部
２１２  書き込み制御信号発生部
２１３  コントローラ
２１４  バッファ
２１５  書き換え要求信号
２１６  書き込みアドレス
２１７  書き込みデータ
２１８  ＲＯＭ制御信号・状態信号
２１９  ＲＯＭ書き込みアドレス
２２０  ＲＯＭ書き込みデータ
５０１  外部バス
【図１】
2004336345.tif 000003
【図２】
2004336345.tif 000004
【図３】
2004336345.tif 000005
【図４】
2004336345.tif 000006
【図５】
2004336345.tif 000007
【図６】
2004336345.tif 000008